(57)【要約】      （修正有）【課題】構造が簡単な装置により、簡単な操作でゴルフのスイング練習が可能なゴルフ練習器を提供する。【解決手段】ゴルフクラブ４をスイングし練習する同一面内において、ゴルフクラブ４の接触スイング可能な内外２本のスライドバー１，２をそれぞれ環状に閉じた又は開いた状態に配置してあるので、内外両方のスライドバー１，２にゴルフクラブ４が接触するようにスライドさせながらスイングすることにより、スイングプレーンが正確で安定するように練習することができる。【選択図】図１
2013215254.tif 000002
【特許請求の範囲】
【請求項１】
ゴルフクラブをスイングし練習する同一面内において、ゴルフクラブの接触スイング可能な内外２本のスライドバーをそれぞれ環状に閉じた又は開いた状態に配置してあることを特徴とするゴルフ練習器。
【請求項２】
前記の内側のスライドバー及び／又は外側のスライドバーが、少なくとも上端において途切れており、環状に閉じていない構造であることを特徴とする請求項１に記載のゴルフ練習器。
【請求項３】
前記の内側のスライドバーと外側のスライドバーとを連結手段で連結することにより、同一面内に位置させてあることを特徴とする請求項１又は請求項２に記載のゴルフ練習器。
【請求項４】
同一面内に、ゴルフクラブの接触スイング可能な内外２本のスライドバーをそれぞれ環状に配置してあるゴルフ練習器を使用してスイング練習をする際に、内外２本のスライドバーの両方にゴルフクラブが接触するようにスイングすることを特徴とするゴルフスイング練習方法。
【発明の詳細な説明】
【技術分野】
【０００１】
本発明は極めて簡易な構造をしており、しかも極めて簡易な練習によってスイングプレーンを正確で安定させることのできるゴルフ練習器を提案するものである。
【背景技術】
【０００２】
ゴルフクラブをスイングする際のプレーンが正確で安定していることが必要であるが、困難を伴い、現実には実現不可能である。このスイングプレーンが正確で安定するように練習する機器がいろいろ提案されている。例えば、特許文献１のように、ゴルフスイングのスイングプレーンなど、複雑な動きをするゴルフクラブの動きに追従して適正にスイングを計測することが可能で、また、その計測結果又は、より良いスイングデータに基づいて理想的なスイングをシュミレーション可能な装置を提供することが提案されている。
そのために、ゴルフクラブの取り付けられた２本のリングを用いているが、図２、図３のように、ゴルフクラブと２本のリングとの連結が複雑であり、しかもシュミレーションすることが目的である。
【先行技術文献】
【特許文献】
【０００３】
【特許文献１】特開平８-57103
【発明の概要】
【発明が解決しようとする課題】
【０００４】
このように、従来のゴルフ練習装置は、構造が複雑なだけでなく、シュミレーションできたとしても、その利用技術が複雑で、素人では効果を発揮できない。
本発明の技術的課題は、このような問題に着目し、構造が簡単な装置により、簡単な操作でゴルフのスイング練習が可能とすることにある。
【課題を解決するための手段】
【０００５】
請求項１は、ゴルフクラブをスイングし練習する同一面内において、ゴルフクラブの接触スイング可能な内外２本のスライドバーをそれぞれ環状に閉じた又は開いた状態に配置してあることを特徴とするゴルフ練習器である。
【０００６】
請求項２は、前記の内側のスライドバー及び／又は外側のスライドバーが、少なくとも上端において途切れており、環状に閉じていない構造であることを特徴とする請求項１に記載のゴルフ練習器である。
【０００７】
請求項３は、前記の内側のスライドバーと外側のスライドバーとを連結手段で連結することにより、同一面内に位置させてあることを特徴とする請求項１又は請求項２に記載のゴルフ練習器である。
【０００８】
請求項４は、同一面内に、ゴルフクラブの接触スイング可能な内外２本のスライドバーをそれぞれ環状に配置してあるゴルフ練習器を使用してスイング練習をする際に、内外２本のスライドバーの両方にゴルフクラブが接触するようにスイングすることを特徴とするゴルフスイング練習方法である。
【発明の効果】
【０００９】
請求項１のように、ゴルフクラブをスイングし練習する同一面内において、ゴルフクラブの接触スイング可能な内外２本のスライドバーをそれぞれ環状に閉じた又は開いた状態に配置してあるので、内外両方のスライドバーにゴルフクラブが接触するようにスライドさせながらスイングすることにより、スイングプレーンが正確で安定するように練習することができる。
【００１０】
請求項２のように、前記の内側のスライドバー及び／又は外側のスライドバーが、少なくとも上端において途切れており、環状に閉じていない構造とすることにより、２本のスライドバーの製造や同一面内に位置させるのが容易になる。また、使用しない際の保管も容易になる。
【００１１】
請求項３のように、前記の内側のスライドバーと外側のスライドバーとを連結手段で連結することにより、同一面内に位置させてあるので、製造が容易であり、位置決め用の治具も簡単な構造で済む。
【００１２】
請求項４のように、同一面内に、ゴルフクラブの接触スイング可能な内外２本のスライドバーをそれぞれ環状に配置してあるゴルフ練習器を使用してスイング練習をする際に、内外２本のスライドバーの両方にゴルフクラブが接触するようにスイングするだけで足りるので、スイングの練習操作が容易であり、スイング練習に集中でき、上達も速くなる。
【図面の簡単な説明】
【００１３】
【図１】本発明によるゴルフ練習器で練習している状態を示す斜視図である。
【図２】本発明によるゴルフ練習器の全容を示す斜視図である。
【発明を実施するための形態】
【００１４】
次に本発明によるゴルフ練習器が実際上どのように具体化されるか実施形態を説明する。図１は、本発明によるゴルフ練習器で練習している状態の斜視図、図２は本発明によるゴルフ練習器の全容を示す斜視図である。
１は内側のスライドバー、２は外側のスライドバーであり、図示実施形態ではそれぞれ丸パイプを用い、リング状に閉じている。しかも、内外２本のスライドバー１、２は、同一面内に位置している。また、図１のように、練習者３がゴルフクラブ４をスイングし練習する際に、内外両方のスライドバー１、２にゴルフクラブ４が常に接触した状態で、スライド移動するように努める。
いずれか、又は両方のスライドバー１、２にゴルフクラブ４が接触しない場合は、スイングプレーンが正確でないことになるので、常に接触するように練習する。従って、内外２本のスライドバー１、２は、ゴルフクラブをスイングする範囲に有れば足りる。
【００１５】
前記のような使い方をするので、内外両方のスライドバー１、２は常に同一面内に位置していることが必要であり、そのために複数の連結バー５…を設け、平らな面に内外２本のスライドバー１、２を置いた状態で、連結バー５…のネジを締めるだけで足りる。
図示実施形態は、２本の前脚６、７と２本の後脚８、９で保持しているが、高さや角度を調節できるように、可動式に外リング２と連結している。
対応する前脚６、７と後脚８、９とを連結できるように、また移動し易いように、安定性の良い角棒１０、１１で連結してある。
そして、左右の角棒１０と１１との間を角棒１２で連結してある。
【００１６】
従って、練習者３は左右の連結棒１０と１１の間に立って、ゴルフクラブ４をスイングし、内外両方のスライドバー１、２にゴルフクラブ４が常に接触するように練習するだけだ足りる。この時、１本のスライドバーだけを擦っているか、２本共擦っているかは音で容易に判別できる。
便宜上、９時と３時を示すマーカー１３、１４を設けてある。真上の部分は不要であるから、内側のスライドバー１及び／又は外側のスライドバー２が、少なくとも上端において途切れており、環状に閉じていない構造も可能である。この場合は、スライドバー１、２は円弧状となる。
この場合、内外のスライドバー１、２を着脱構造とし、かつ連結棒１２を外せば、使用しない場合は小型化でき、便利である。
なお、内外のスライドバー１、２は、軽量化のため、アルミニウム製や樹脂製のパイプが適している。また、製造の簡易化のためには、内外のスライドバー１、２を連結構造にするのがよい。
【産業上の利用可能性】
【００１７】
以上のように、ゴルフクラブが同時に接触スイング可能なように、同一面内において内外２本のスライドバーをそれぞれ環状に配置してあるので、構造が簡単な装置により、簡単な操作でゴルフのスイング練習が可能となる。
【符号の説明】
【００１８】
１  内側のスライドバー
２  外側のスライドバー
３  練習者
４  ゴルフクラブ
５  連結バー
６・７  前脚
８・９  後脚
１０・１１・１２  角棒から成る連結部材
１３・１４  マーカー
【図１】
2013215254.tif 000003
【図２】
2013215254.tif 000004